(57)【要約】      （修正有）【課題】二つのレール素子と一つの連結素子とを容易で快速に結合できること。【解決手段】複数のレール素子と、複数の連結素子１０とを含むレール枠用連結構造において、レール素子は、その周面には軸方向に装入されるレール１１が設けてあり、その壁面には対向する凸縁１２が設けてあり、その内部には連結溝１３と結合溝１４とが設けてあり、連結素子は、前記レール素子に対応するレールには貫通孔が開設してあり、レール素子に対応する連結溝には、ネジ２２１により連結素子をレール素子の連結溝に締結するための貫通孔が開設してあり、連結素子の他のレール素子に対応する結合溝には結合部が設けてあり、且つ結合部をレール素子の結合溝に挿入して固定する。【選択図】図１
0003110595.tif 000002
【実用新案登録請求の範囲】
【請求項１】
複数のレール素子と、複数の連結素子とを含むレール枠用連結構造において、
前記レール素子は、その周面には軸方向に設けられたレールが設けてあり、その壁面には対向する凸縁が設けてあり、その内部には連結溝と結合溝とが設けてあり、
前記連結素子は、前記レール素子のレールに対応する箇所では貫通孔が開設してあり、前記レール素子の連結溝に対応する箇所では、ネジにより前記連結素子をレール素子の連結溝に締結するための貫通孔が開設してあり、前記連結素子の他のレールの結合溝に対応する箇所では結合部が設けてあり、且つ結合部がレール素子の結合溝に挿入して固定することを特徴とする、
レール枠用連結構造。
【請求項２】
前記連結素子のレール素子に設けたレールに対応する箇所には凸部が設けてあり、前記連結素子の凸部がレール素子のレールに挿入して固定することを特徴とする、請求項１に記載のレール枠用連結構造。
【請求項３】
前記レール素子のレール内には摺動素子が設けてあり、調整された前記摺動素子が前記連結素子にある貫通孔を挿通することを特徴とする、請求項１又は２に記載のレール枠用連結構造。
【請求項４】
前記摺動素子には内六角止めネジをねじ込むためのネジ穴が設けてあり、前記内六角止めネジの先端がレール素子にあるレールに当接すると、前記摺動素子がレール素子にあるレール内に固定されることを特徴とする、請求項３に記載のレール枠用連結構造。
【考案の詳細な説明】
【技術分野】
【０００１】
本考案はレール枠用連結構造に関するものである。
【背景技術】
【０００２】
目下、市販している組合式枠体が色々あり、これらの組合式枠体の運輸が極めて便利であるが、その組合方式が極めて多いので、使用者にとっては極めて迷惑であり、且つ組合作業が間違うと、製品が損壊になる。
【考案の開示】
【考案が解決しようとする課題】
【０００３】
本考案の主な目的は、使用者は二つのレール素子と一つの連結素子とを容易で快速に結合することができるレール枠用連結構造を提供する。
【課題を解決するための手段】
【０００４】
上記目的を達成するためになされた本願の第１考案は、複数のレール素子と、複数の連結素子とを含むレール枠用連結構造において、前記レール素子は、その周面には軸方向に設けられたレールが設けてあり、その壁面には対向する凸縁が設けてあり、その内部には連結溝と結合溝とが設けてあり、前記連結素子は、前記レール素子のレールに対応する箇所では貫通孔が開設してあり、前記レール素子の連結溝に対応する箇所では、ネジにより前記連結素子をレール素子の連結溝に締結するための貫通孔が開設してあり、前記連結素子の他のレールの結合溝に対応する箇所では結合部が設けてあり、且つ結合部がレール素子の結合溝に挿入し固定することを特徴とするレール枠用連結構造であることを要旨としている。
【０００５】
本願の第２考案では、前記連結素子のレール素子に設けたレールに対応する箇所には凸部が設けてあり、前記連結素子の凸部がレール素子のレールに挿入し固定することを特徴とする前記第１考案のレール枠用連結構造であることを要旨としている。
【０００６】
本願の第３考案では、前記レール素子のレール内には摺動素子が設けてあり、調整された前記摺動素子が前記連結素子にある貫通孔を挿通することを特徴とする前記第１又は２考案のレール枠用連結構造であることを要旨としている。
【０００７】
本願の第４考案では、前記摺動素子には内六角止めネジをねじ込むためのネジ穴が設けてあり、前記内六角止めネジの先端がレール素子にあるレールに当接すると、前記摺動素子がレール素子にあるレール内に固定されることを特徴とする前記第３考案のレール枠用連結構造であることを要旨としている。
【考案の効果】
【０００８】
本考案に係るレール枠用連結構造によれば、使用者は二つのレール素子と一つの連結素子とを容易で快速に結合することができる。
【考案を実施するための最良の形態】
【０００９】
以下、添付図面を参照して本考案の好適な実施の形態を詳細に説明する。
【００１０】
まず、図１を参照する。本考案に係るレール枠用連結構造は、二つのレール素子１０と、一つの連結素子２０と、一つの摺動素子３０とを含む。
【００１１】
前記レール素子１０は、押出し製造法により一体成形されたものであり、三つの周面には軸方向に設けられたレール１１が設けてあり、その壁面には対向する凸縁１２が設けてあり、その内部には、対向する二つの連結溝１３と、対向する二つの結合溝１４とが設けてある。
【００１２】
前記連結素子２０は、前記レール素子１０の各レールに対応する箇所では三つの貫通孔２１が開設してあり、前記レール素子１０の二つの連結溝１３に対応する箇所では、ネジ２２１により前記連結素子２０をレール素子１０の連結溝１３に締結するための貫通孔２２が開設してあり、前記連結素子２０の他のレール１１の二つの結合溝１４に対応する箇所では二つの結合部２３が設けてあり、且つ結合部２３がレール素子１０の結合溝１４に挿入し固定され、前記連結素子２０のレール素子１０に設けたレール１１に対応する箇所には凸部２４が設けてあり、前記連結素子２０の凸部２４がレール素子１０のレール１１に挿入し固定される。
【００１３】
前記摺動素子３０は、断面形状が凸字形を呈し、その表面には内六角止めネジ３２を締結するためのネジ穴３１が三つに設けてあり、前記内六角止めネジ３２の先端がレール素子１０にあるレール１０に当接すると、前記摺動素子３０の両端がレール素子１０にある凸縁１２に固定される。
【００１４】
図１乃至図４に示すのは、本考案の実施形態および機能を示す図面であり、使用者がレール素子１０と連結素子２０とを組み付けるときには、まず、連結素子２０にある貫通孔２２１をレール素子１０にある連結溝１３に位置合わせて、連結素子２０にある貫通孔２２にネジ２２１をねじ込むと、連結素子２０がレール素子１０に締結され、且つ連結素子２０にある貫通孔２１がちょうどレール素子１０にあるレール１１の端部の開口に位置し、また、使用者が他のレール素子１０にある結合溝１４を連結素子２０にある結合部２３に嵌合し、且つこのレール素子１０の連結溝１３に近接するレール１１が連結素子２０にある凸部２４に嵌合し、これにより、レール素子１０と連結素子２０の組付け作業が完成した。上記構成のように、二つのレール素子１０の間に一つの連結素子２０を介設して締結する方式により、使用者は二つのレール素子１０を容易で快速に結合することができる。
【００１５】
レール素子１０の構造設計により、摺動素子３０がレール素子１０にあるレール１１内に取付けられ、摺動素子３０に設けられたネジ穴３１により内六角止めネジ３２をねじ込むことができ、前記内六角止めネジ３２の先端がレール素子１０にあるレール１１に当接すると、前記摺動素子３０の両端がレール素子１０にある凸縁１２に固定され、そうすると、前記摺動素子３０がレール素子１０に確実に固定することができる。
【００１６】
また、図５を参照する。上記の結合方式により、摺動素子３０に設けられたネジ穴３１が内六角止めネジ３２および一般のネジ３３によって物置部材５０に締結し結合し、前記物置部材５０では品物を放置することができる。
【００１７】
また、図６を参照する。使用者は、内六角止めネジ３２を移動することにより、摺動素子３０のレール素子１０にあるレール１１内に位置する処を調整でき、且つ連結素子２０の構造設計により、使用者が摺動素子３０を移動するときに、摺動素子３０は、連結素子２０にある貫通孔２１を挿通して、他のレール素子１０にあるレール１１内に挿入することができる。
【図面の簡単な説明】
【００１８】
【図１】本考案の分解斜視図である。
【図２】本考案の組合状態の横方向の断面図である。
【図３】本考案の組合状態の縦方向の断面図である。
【図４】本考案の他の組合状態の縦方向の断面図である。
【図５】本考案に物置部材が装着された実施形態を示す概略図である。
【図６】本考案に係る摺動素子が連結素子を挿通する動作を示す概略図である。
【符号の説明】
【００１９】
１０      レール素子                １１      レール
１２      凸縁                      １３      連結溝
１４      結合溝                    ２０      連結素子
２１      貫通孔                    ２２      貫通孔
２２１    ネジ                      ２３      結合部
２４      凸部                      ３０      摺動素子
３１      ネジ穴                    ３２      内六角止めネジ
３３      ネジ                      ４０      支持素子
５０      物置部材
【図１】
0003110595.tif 000003
【図２】
0003110595.tif 000004
【図３】
0003110595.tif 000005
【図４】
0003110595.tif 000006
【図５】
0003110595.tif 000007
【図６】
0003110595.tif 000008